(57)【特許請求の範囲】
【請求項１】
外枠組みの内側に形成された開口部に配置されてこの開口部を開閉するドア本体の幅方向途中部が、前記外枠組みに対して基端部を中心に水平面内で揺動自在となった揺動部材の先端部で垂直軸を中心に回動自在に支持されているとともに、前記ドア本体の幅方向途中部に設けられた被ガイド部材が、前記外枠組みを形成している上枠に取り付けられかつ水平方向に延びるガイド部材でガイドされているバランスドアの前記ドア本体の位置を調整するための装置であって、
前記揺動部材は前記ドア本体の上下に配置された上アーム部材と下アーム部材であり、これらの上下のアーム部材のうち、前記上アーム部材と前記ドア本体とが第１連結ピンで連結されているとともに、前記下アーム部材と前記ドア本体とが第２連結ピンで連結されており、これらの第１及び第２連結ピンが前記垂直軸であり、
前記ドア本体は前記第１連結ピンで前記上アーム部材に吊り上げられた状態で支持され、
前記上アームの先端に取付部材が取り付けられ、この取付部材の上面にスライダ部材が前記幅方向にスライド自在に配置されているとともに、前記第１連結ピンに形成された雄ねじ部が、前記取付部材に前記幅方向に形成された凹部と、前記スライダ部材に形成された孔とに挿入され、前記雄ねじ部に、前記取付部材及び前記スライダ部材の上下において２個のロックナットが螺合され、
前記第１連結ピンは回転されることにより上下動することを特徴とするバランスドアのドア本体位置調整装置。
【請求項２】
請求項１に記載のバランスドアのドア本体位置調整装置において、前記第１連結ピンの下部は、前記ドア本体の上面にベアリング保持部材で保持されているベアリングに挿入され、このベアリングの下面に前記第１連結ピンの下端のフランジ部が係止されていることを特徴とするバランスドアのドア本体位置調整装置。
【請求項３】
請求項１又は２に記載のバランスドアのドア本体位置調整装置において、前記上アーム部材には、前記第１連結ピン、前記取付部材及びスライダ部材を含めて前記上アーム部材を覆うカバーが取り外し自在に被せられていることを特徴とするバランスドアのドア本体位置調整装置。
【請求項４】
請求項１〜３のいずれかに記載のバランスドアのドア本体位置調整装置において、前記被ガイド部材は垂直軸を中心に回転自在なローラであり、このローラは前記ガイド部材となっているガイドレールの内部に挿入され、このガイドレールの内側面をガイド面にさせて前記ローラは転動自在となっていることを特徴とするバランスドアのドア本体位置調整装置。
【発明の詳細な説明】
【０００１】
【発明の属する技術分野】
本発明は、スライド・スイング式ドア装置とも称せられるバランスドアに係り、特に、バランスドアのドア本体の位置を複数方向に位置調整するための装置に関する。
【０００２】
【背景技術】
スライド・スイング式ドア装置とも称せられるバランスドアでは、ドア本体の幅方向（水平方向）途中部が、基端部を中心に水平面内で揺動自在な揺動部材となっている上下アーム部材の先端部で垂直軸を中心に回動自在に支持されているとともに、ドア本体の幅方向途中部に設けられたローラ等による被ガイド部材が水平方向へ延びるガイド部材でガイドされるようになっている。このバランスドアによると、ドア本体の開閉動を、開き戸装置よりも開閉動スペースを小さくし、また引戸装置で必要な戸袋を不要にして行えるという利点を得られる。
【０００３】
このバランスドアでは、施工現場で組立施工する際や長期間の使用後等においてドア本体の位置調整を行い、これにより、例えば、外枠組みとドア本体との間の隙間を良好な大きさにするなどの作業が行われる。
【０００４】
このような調整作業を行えるようにした従来のバランスドアとして、特開平１１−２４１５５７号が知られている。このバランスドアでは、上アーム部材の先端部や上アーム部材の長手方向途中部、さらには上アーム部材の基端部に、ドア本体の位置を複数の方向に調整するための位置調整を配置し、これらの位置調整手段により互いに直角をなす複数の方向にドア本体の位置を調整できるようにしている。
【０００５】
【発明が解決しようとする課題】
この従来技術によると、ドア本体の位置を互いに直角をなす複数の方向に調整するための複数の位置調整手段は離間して配置されているため、ドア本体の位置を複数の方向に調整するための作業を行う際に作業者はその離間配置された手段により作業を行わなければならず、作業を効率的に行えないという問題があった。
【０００６】
本発明の目的は、ドア本体の位置を互いに直角をなす複数の方向に調整する作業を効率的に行えるようになるバランスドアのドア本体位置調整装置を提供するところにある。
【０００７】
【課題を解決するための手段】
本発明に係るバランスドアのドア本体位置調整装置は、ドア本体の幅方向途中部が基端部を中心に水平面内で揺動自在となった揺動部材の先端部で垂直軸を中心に回動自在に支持されているとともに、前記ドア本体の幅方向途中部に設けられた被ガイド部材が水平方向に延びるガイド部材でガイドされているバランスドアの前記ドア本体の位置を調整するための装置であって、前記ドア本体の位置を互いに直角をなす複数の方向へ調整する複数の位置調整手段によって構成されているバランスドアのドア本体位置調整装置において、前記複数の位置調整手段が近接配置されていることを特徴とするものである。
【０００８】
このドア本体位置調整装置によると、ドア本体の位置を互いに直角をなす複数の方向に調整するための複数の位置調整手段は近接配置されているため、ドア本体の位置を複数方向に調整する作業者は、身体と視線とを長い距離動かすことなくほぼ同じ位置にとどめたまま作業を行えることになり、この作業を効率的に行えることになる。
【０００９】
本発明において、複数の位置調整手段を互いに近接させて配置する場所は、前記揺動部材の先端部でもよく、この揺動部材の途中部でもよく、この揺動部材の基端部でもよい。
【００１０】
しかし、複数の位置調整手段を近接させて配置する場所を揺動部材の先端部とした場合には、この先端部は周囲が開放された場所になっているため、ドア本体の位置調整作業を容易に行えるようになるという効果を得られる。
【００１１】
また、前記複数の位置調整手段を前記揺動部材にそれぞれ取り付けられた別々の部材に配置してもよいが、これらの位置調整手段を揺動部材に取り付けられた同じ部材に配置することがより好ましい。
【００１２】
このようにすると、複数の位置調整手段は同じ部材に配置されるため、この部材を揺動部材に取り付けると、それぞれの位置調整手段を自ずと所定位置へ配置することができ、また、本発明に係る位置調整装置をこの部材を含めてユニット化することもでき、その取り扱いを容易なものにできる。
【００１３】
また、複数の位置調整手段の互いの構造関係は任意なものにすることができる。その一例は、複数の位置調整手段のうちの一つの手段を、この手段によってドア本体の位置調整がなされたときにこの位置調整方向へ移動するスライダ部材を有するものとし、このスライダ部材に複数の位置調整手段のうちの他の手段を取り付けることである。
【００１４】
これによると、前記一つの手段にはこの手段による位置調整時の方向に移動するスライダ部材が設けられ、このスライダ部材に他の位置調整手段が取り付けられているため、前記一つの手段によるドア本体の位置調整作業は、前記他の手段によってなされたドア本体の位置調整状態を維持して行えることになり、複数の位置調整手段によるドア本体の複数の方向への位置調整作業を互いの手段同士の干渉が生ずることなく所定どおりに行える。
【００１５】
また、ドア本体の位置を互いに直角をなす複数の方向へ調整するための複数の位置調整手段は、任意な部材を任意に操作することによってドア本体の位置調整を行えるようにしてもよいが、これら複数の位置調整手段のいずれも、回転操作されることによりドア本体の位置を調整する回転操作部材を有するようにすることが好ましい。
【００１６】
このように、複数の位置調整手段のいずれも、回転操作されることによりドア本体の位置を調整する回転操作部材を有するようにすると、回転操作という作業はきわめて簡単で短時間に行える作業であるため、ドア本体の位置調整作業をこの点でも効率的に行えるようになるという効果を得られる。
【００１７】
以上の本発明において、互いに直角をなす複数の方向とは、例えば、ドア本体の幅方向（水平方向）と高さ方向と厚さ方向のうちの２つ以上の方向のことである。施工後のバランスドアにおいて外観性を良好とするためには、ドア本体の幅方向と高さ方向の位置調整が重要であるため、複数の位置調整手段には、ドア本体の位置を幅方向と高さ方向に調整する手段を含めることが望ましい。
【００１８】
また、本発明において、先端部でドア本体を支持する揺動部材の基端部はバランスドアの外枠組み等にヒンジで回動自在に連結されていてもよく、あるいは、揺動部材を揺動筒部材等の揺動中心部材から延びるものとした場合には、この揺動中心部材を揺動部材の基端部としてもよい。
【００１９】
また、揺動部材は上下のアーム部材でもよく、あるいは、ドア本体の表面又は裏面と対面する面積を有するパネル状の部材でもよい。
【００２０】
また、揺動部材を上下のアーム部材とした場合には、複数の位置調整手段のそれぞれをこれらのアーム部材に設けてもよく、いずれか一方だけに設けてもよい。いずれか一方だけに設ける場合には、位置調整作業の容易化のために上アーム部材に設けることが好ましい。
【００２１】
さらに、本発明に係るドア本体位置調整装置は、手動式のバランスドアにも適用でき、自動式のバランスドアにも適用できる。この自動式バランスドアは、閉鎖時のみ自動式となる自閉式バランスドアでもよい。
【００２２】
【発明の実施の形態】
以下に本発明の一実施形態を図面に基づいて説明する。本実施形態は、トイレ室等の空間を仕切るために間仕切り壁に設けられるバランスドアの場合で、図１はそのバランスドアの室内側を示す正面図であり、図２は、その背面図である。図３は、図１のIII−III線断面図、図４は、図２のIV−IV線断面図である。
【００２３】
バランスドアの開口部である出入口１を内側に形成する外枠組み２は、上枠３と、左右の縦枠４，５とで形成され、これらの上枠３、縦枠４，５は、図３、図４に示されているとおり、アンカーブラケット６を介して建物躯体に結合されている。出入口１の縦枠４側の端部には、出入口１の上下方向を軸方向とする中心軸を中心に揺動自在となっている揺動筒部材７が立設され、揺動中心部材になっているこの揺動筒部材７は、図３で示されているように角筒状である。
【００２４】
揺動筒部材７の側面の上下端部には、図１で示すように、出入口１の幅方向に延びていて揺動部材になっている上下のアーム部材８，９の後端部が結合され、これらのアーム部材８，９の基端部を形成している揺動筒部材７を中心に出入口１と直角をなす水平面内で揺動自在になっているこれらのアーム部材８，９における出入口１の幅方向の先端部に、出入口１に配置されていて出入口１を開閉するドア本体１０の幅方向途中部が連結され、この連結は、出入口１の上下方向を軸方向とする中心軸（垂直軸）を中心に回動自在になされている。また、上枠３の下面には不動部材１１が固定され、上アーム部材８が揺動筒部材７を中心とした揺動により上枠３の真下に達したとき、この上アーム部材８と不動部材１１とが一直線上に並び、高さ寸法及び幅寸法が互いに対応しているこれらの上アーム部材８と不動部材１１とにより、外観上、上枠３の下部の横枠部材が形成されるようになっている。
【００２５】
また、図２に示すように、上アーム部材８と不動部材１１との裏側において、上枠３の下面には出入口１の幅方向に延びるガイド部材であるガイドレール１２が取り付けられ、出入口１の幅方向全長の長さ又はこの全長より短い長さを有しているこのガイドレール１２は、図４に示すとおり、下面が開口したチャンネル状であり、この開口した部分には、ガイドレール１２の幅方向両側から内側に延びる延出部１２Ａが形成されている。
【００２６】
内部に耐熱材等の芯材１０Ａが充填されているドア本体１０の幅方向途中部の上部には、ドア本体１０の厚さ方向に突出したブラケット１３が設けられ、このブラケット１３に立設された垂直軸１４にローラ１５が回転自在に取り付けられ、ガイドレール１２で案内される被ガイド部材になっているこのローラ１５は、ガイドレール１２の内部に挿入されて延出部１２Ａ上に載せられている。
【００２７】
このため、ドア本体１０を図１、図２で示された把持部１６で押し又は引き操作すると、揺動筒部材７を中心とした上下のアーム部材８，９の揺動運動と、ガイドレール１２に沿ったローラ１５の直線運動とにより、ドア本体１０は、図５の模式的平面図で示すように、アーム部材８，９に対して出入口１と直角をなす水平面内で回動しながら出入口１の幅方向に移動し、出入口１を開閉することになる。図３に示すように、縦枠４，５には戸当たり部材１７，１８が設けられているため、ドア本体１０が出入口１を閉じたときには、ドア本体１０の表裏両面に戸当たり部材１７，１８が当たることにより、ドア本体１０のそれ以上の回動が阻止される。
【００２８】
また、図面では省略されているが、ドア本体１０の両方の端面には、起倒操作自在になっている把持部材１６の操作で出没するラッチ部材が配置され、出入口１を閉じたドア本体１０からこのラッチ部材が突出し、縦枠４，５に設けられている凹部状のラッチ受け部材に侵入する。
【００２９】
図６には、出入口１を閉じたときのドア本体１０が実線で示され、出入口１を開いたときのドア本体１０が仮想線で示されている。この図６では、縦枠５、揺動筒部材７、上下のアーム部材８，９、不動部材１１、ガイドレール１２が示され、その他は省略されている。
【００３０】
図７には、上下のアーム部材８，９とドア本体１０との連結構造が示されている。通常時、上アーム部材８には取り外し自在なカバー２０が被せられている。上下のアーム部材８，９とドア本体１０との連結は、共に出入口１の上下方向を軸方向とする上アーム部材８側の第１連結ピン２２と、下アーム部材９側の第２連結ピン２６とを中心にドア本体１０が回転自在となってなされている。
【００３１】
図７には、前記揺動筒部材７の揺動中心軸に関する構造も示されている。揺動筒部材７の上側の中心軸はピボット装置４０のピン４１であり、下側の中心軸は、出入口１を開けたときのドア本体１０に自閉力を付与するための自閉装置５０の作動軸５１である。出入口１の上下方向を軸方向とするこれらのピン４１と作動軸５１を中心に揺動筒部材７は揺動可能である。自閉装置５０は、揺動筒部材７の内部下側に収納されている。
【００３２】
ピボット装置４０は、上枠３に取り付けられた第１基板４２と、上アーム部材８の上面に取り付けられた第２基板４３とを有し、第２基板４３には揺動筒部材７の内部に臨んで前記ピン４１が挿入されるピン受け部材４４が固定されている。また、第１基板４２には、回転させることにより上下方向に移動する操作ねじ４５と、一端がこの操作ねじ４５に係合し、他端にピン４１が係合したレバー４６と、このレバー４６の揺動中心部材４７とが設けられている。
【００３３】
揺動筒部材７が前記外枠組み２の内側に形成された出入口１の所定位置に立てられる前は、操作ねじ４５がねじ込み操作されていて、レバー４６の操作ねじ４５側の端部が下がっているため、ピン４１は上昇位置にある。揺動筒部材７を所定位置に立てた後、操作ねじ４５を回転させてレバー４６の操作ねじ４５側の端部を上げることにより、ピン４１は下降してピン受け部材４４の内部に挿入され、これにより揺動筒部材７の上端は上枠３に連結される。
【００３４】
図８は、図7のVIII−VIII線断面図である。自閉装置５０の本体である外筒５２の下部には、四角状のブロック部材５３が外筒５２と結合一体化されて設けられ、このブロック部材５３の内部と外筒５２の内部途中まで挿入されている作動軸５１（図７参照）の下端５１Ａがブロック部材５３の下面から突出し、この下端５１Ａは角型テーパ状となっている。揺動筒部材７の内部においてブロック部材５３は、図８で示すように、揺動筒部材７にビス５４で結合され、したがって外筒５２も揺動筒部材７と結合一体化されている。
【００３５】
図７、図８で示すとおり、揺動筒部材７が立てられる床５５の所定位置には、作動軸５１の下端５１Ａが係合状態で挿入される受け部材５６が埋設されており、揺動筒部材７を前述した所定位置に立てる際には、この受け部材５６に作動軸５１の下端５１Ａを挿入係合させて行う。受け部材５６には床５５の上面から垂直部５７Ａが突出した係止部材５７が結合されており、この垂直部５７Ａを図２、図３で示した前記縦枠４にビス、溶接等で結合する。
【００３６】
このため、自閉装置５０の作動軸５１は、受け部材５６、係止部材５７を介して縦枠４に連結されており、これに対して揺動筒部材７に結合されている外筒５２は、上下アーム部材８，９を揺動させてドア本体１０を出入口１に対して開閉動させることによって、揺動筒部材７をピボット装置４０のピン４１と自閉装置５０の作動軸５１を中心に揺動させたとき、揺動筒部材７と共に揺動することになり、作動軸５１は回転しない。
【００３７】
外筒５２の内部には螺旋型ばねが収納され、このばねの下端は作動軸５１に結合され、上端は外筒５２の内部に回転自在に収納されているリング部材６１に結合されている。図８に示すとおり、外筒５２にはリング部材６１の一部が露出する窓孔６２が形成されており、この窓孔６２に、リング部材６１の全周に亘って等間隔で設けられている穴６３のうちの複数個が臨んでいる。これら複数個の穴６３にピンを順次差し込み、抜き取ることを繰り返すによってリング部材６１を一方向に回転させることにより、螺旋型ばねの巻き込みがなされてこのばねにばね力が蓄圧され、一つの穴６３に差し込んだピンをそのまま残すことにより、ピンが窓孔６２の周縁部に係止されるため、螺旋型ばねのそのときの蓄圧力が維持される。
【００３８】
このような状態になっているときに、出入口１を閉じていたドア本体１０を開くと、外筒５２は揺動筒部材７と共に作動軸５１を中心に一方向（螺旋型ばねを巻き込む方向）に揺動することになり、ドア本体１０から手を離すと、ドア本体１０は螺旋型ばねの蓄圧力で自動的に閉じることになる。このときのドア本体１０の自閉力の大きさは、螺旋型ばねに蓄圧されているばね力の大きさに応じたものとなる。
【００３９】
したがって、リング部材６１を前記ピンで回転させたときの回転角度量の大きさによってドア本体１０の自閉力の大きさを決めることができる。また、リング部材６１の穴６３からピンを抜き取った場合には、リング部材６１は外筒５２に対し自由状態となって螺旋型ばねの蓄圧力が開放されるため、このときには、バランスドアをドア本体１０の自閉力が消滅した手動操作式のものとすることができる。
【００４０】
また、外筒５２の内部には作動油が充填されている。さらに、外筒５２の内部には、この作動油を一方向へは自由に通過させ、作動油の他方向への通過は弁部材で阻止するオリフィスを備えたオリフィス部材と、テーパピンが挿入されていて作動油が流通できる貫通孔を備えた作動油流通絞り部材とが収納されている。
【００４１】
出入口１を閉じていたドア本体１０を開く場合には、作動油はオリフィスを自由に通過し、したがって、ドア本体１０の開き操作は、その開き速度のまま自由に行える。一方、ドア本体１０を閉じる場合には、上記弁部材でオリフィスが塞がれ、また、作動油は上記テーパピンが挿入された上記貫通孔をこのテーパピンで絞られながら流通するため、ドア本体１０の閉じ速度は減速される。テーパピンは、図８で示された外筒５２の上部の円板部材７６を回転操作することにより貫通孔に対して移動するため、この円板部材７６の回転操作により、貫通孔を作動油が流通するときのテーパピンによる絞り量を変更することができ、これにより、ドア本体１０の閉じ速度を調整することができる。
【００４２】
なお、揺動筒部材７には、以上のリング部材６１、円板部材７６を回転操作できるようにするための窓孔８０，８１が形成されており、これらの窓孔８０，８１は、通常時、取り外し可能な蓋部材８２，８３で塞がれている。
【００４３】
図７において、この上アーム部材８の先端には止着具であるビス３８，３９で取付部材２１が取り付けられ、取付部材２１には前述した第１連結ピン２２が垂直に配置されている。ドア本体１０の上面にはベアリング保持部材２３がビス２４で固定され、第１連結ピン２２の下部はこの保持部材２３で保持されたベアリング２５に挿入され、下端のフランジ部２２Ａがベアリング２５の下面に係止されている。また、下アーム部材９の先端には、第１連結ピン２２に真下において前述した第２連結ピン２６が垂直に設けられ、ドア本体１０の下面にはベアリング保持部材２７がビス２８で固定されている。この保持部材２７で保持されたベアリング２９に第２連結ピン２６が挿入されている。
【００４４】
このため、上下のアーム部材８，９とドア本体１０との連結は、前述したとおり、垂直軸となっている第１及び第２連結ピン２２，２６を中心にドア本体１０が回転自在となってなされている。
【００４５】
また、ドア本体１０は第１連結ピン２２で上アーム部材８に吊り下げられた状態で支持され、ドア本体１０の重量は上アーム部材８で支持されているため、ドア本体１０が出入口１に対して開閉動を行うとき、ガイドレール１２に挿入係合されている図４の前記ローラ１５にドア本体１０の重量を支持させる必要がない。このため、ローラ１５を、前述のとおり、垂直軸１４を中心に回動自在とし、ガイドレール１２の内側面をガイド面にさせて転動させればよいため、ガイドレール１２に案内させて行わせるローラ１５の直線運動を摩擦のない又は極めて小さい円滑のものとして行わせることができ、この結果、ドア本体１０の開閉動をスムーズなものにできる。
【００４６】
また、本実施形態では、第１連結ピン２２には雄ねじ部２２Ｂが形成され、この雄ねじ部２２Ｂは、取付部材２１の上面に出入口１の幅方向にスライド自在に配置されたスライダ部材３０の孔に挿入されている。そして、この雄ねじ部２２Ｂは、取付部材２１の先端から出入口１の幅方向へ形成された凹部２１Ａに挿入されているとともに、雄ねじ部２２Ｂに上下のロックナット３１，３２が螺合されている。このため、ロックナット３２を緩めた後、ロックナット３１を工具等で回り止めしながら第１連結ピン２２を回転させると、その回転方向に応じて第１連結ピン２２は上下動し、これにより、ドア本体１０の全体高さ位置を調整でき、そしてロックナット３２を締め付けて第１連結ピン２２をロックすることにより、ドア本体１０をその高さ位置に固定できる。
【００４７】
また、スライダ部材３０は、出入口１の幅方向に長い長孔３３に挿入されて取付部材２１に螺入された止めねじ３４で取付部材２１に止められているとともに、スライダ部材３０の端部に形成されている立上り部３０Ａには、横向きの調整ねじ３５が軸方向には不動となって回転自在に係合支持され、この調整ねじ３５は取付部材２１の雌ねじ２１Ｂに螺入されている。止めねじ３４及び下側のロックナット３２を緩めた後、調整ねじ３５を工具で回転させると、その回転方向に応じてスライダ部材３０は出入口１の幅方向に進退する。これにより、ドア本体１０は第２連結ピン２６を中心に垂直面内で若干傾きながらも全体的には出入口１の幅方向に移動し、この方向におけるドア本体１０の位置が調整された後、止めねじ３４及び下側のロックナット３２を締め付けることにより、ドア本体１０はその位置で固定される。
【００４８】
図９には、以上説明した取付部材２１を上アーム部材８から分離した状態、すなわち、本実施形態に係るドア本体位置調整装置を上アーム部材８から分離した状態が示されている。第１連結ピン２２を回転操作すると、ドア本体１０の高さ方向の位置調整がなされるため、この第１連結ピン２２と、このピン２２に螺合されるロック位置調整ナット３１，３２とにより、ドア本体１０の高さ方向位置調整手段Ａが形成されている。また、調整ねじ３５を回転操作してスライダ部材３０をドア本体１０の幅方向に移動させることにより、ドア本体１０の幅方向の位置調整がなされるため、これらの調整ねじ３５、スライダ部材３０、さらには止めねじ３４により、ドア本体１０の幅方向位置調整手段Ｂが形成されている。
【００４９】
ドア本体１０を互いに直角をなす高さ方向と幅方向との２次元方向に位置調整するためのこれらの手段Ａ，Ｂは、通常時、上アーム部材８に被せられている前述したカバー２０で覆われている。
【００５０】
これらの手段Ａ，Ｂによるドア本体１０の位置調整作業を行うときには、ドア本体１０を前記出入口１から開き移動させることにより、上アーム部材８の先端部を前記上枠２の下側から突出させた後、カバー２０を取り外す。そして、ドア本体１０の位置調整作業を、前述したように第１連結ピン２２、調整ねじ３４を回転操作することにより行う。
【００５１】
本実施形態によると、両方の位置調整手段Ａ，Ｂは上アーム部材８の先端部において互いに近接して配置されているため、これらの手段Ａ，Ｂでドア本体１０を高さ方向と幅方向に位置調整する作業は、作業者が身体と視線とを長い距離動かすことなく効率的行え、作業を短時間で実施できる。
【００５２】
また、両方の位置調整手段Ａ，Ｂは上アーム部材８の先端部に配置され、この先端部は、ドア本体１０を出入口１から開き移動させ、カバー２０を取り外すと、周囲が開放された場所になっているため、位置調整手段Ａ，Ｂによるドア本体１０の位置調整作業を邪魔するものがない開放状態の空間で容易に行える。
【００５３】
また、両方の位置調整手段Ａ、Ｂは上アーム部材８に取り付けられる同じ取付部材２１に配置される構造になっているため、取付部材２１をビス３８，３９で上アーム部材８に取り付けるときに、これらの位置調整手段Ａ，Ｂを自ずと上アーム部材８の所定位置に配置できることになり、これら位置調整手段Ａ，Ｂの配置作業を簡単に行える。
【００５４】
さらに、ベアリング保持部材２３がドア本体１０にビス２４で取り付けられる前の工場等においては、第１連結ピン２２を上下のロックナット３１，３２で取付部材２１に取り付けておくことができるため、位置調整手段Ａ，Ｂを取付部材２１を含めてユニット化されたものとすることができ、このため、これらの取り扱いを容易化することができる。
【００５５】
また、ドア本体１０を高さ方向に位置調整するための手段Ａは、ドア本体１０を幅方向に位置調整するための手段Ｂを構成しているスライダ部材３０の孔３０Ｂに第１連結ピン２２を挿入したものとなっているため、高さ方向位置調整手段Ａが幅方向位置調整手段Ｂに取り付けられた構造となっている。このため、幅方向位置調整手段Ｂの調整ねじ３５の回転操作によりスライダ部材３０をドア本体１０の幅方向に移動させ、この方向にドア本体１０の位置調整を行った場合には、同じ方向へ高さ方向位置調整手段Ａも移動することになる。
【００５６】
このため、高さ方向位置調整手段Ａによるドア本体１０の高さ方向位置調整後の状態をそのまま維持しながら、幅方向位置調整手段Ｂによるドア本体１０の幅方向の位置調整作業を行え、両方の手段Ａ，Ｂによるドア本体の２方向への位置調整作業を互いに独立させて行える。
【００５７】
さらに、両方の手段Ａ，Ｂは、第１連結ピン２２、調整ねじ３５を回転操作することによりドア本体１０の位置を調整するものとなっており、回転操作は極めて容易な作業であって微調整もできるため、本実施形態によると、回転操作部材になっているこれらの第１連結ピン２２と調整ねじ３５とにより、ドア本体１０の高さ方向と幅方向の位置調整作業を簡単かつ微妙に行え、この結果、ドア本体１０の周囲の隙間調整を簡単かつ正確に行える。
【００５８】
【発明の効果】
本発明によると、ドア本体の位置を互いに直角をなす複数の方向に調整する作業を効率的に行えるという効果を得られる。
【図面の簡単な説明】
【図１】バランスドアの室内側を示す正面図である。
【図２】バランスドアの背面図である。
【図３】図１のIII−III線断面図である。
【図４】図２のIV−IV線断面図である。
【図５】ドア本体の開閉時の運動を示す模式的平面図である。
【図６】ドア本体が閉じたときを実線で、開いたときを仮想線で示した斜視図である。
【図７】ドア本体の位置調整装置を含む揺動部材である上下のアーム部材とドア本体との連結構造、及び揺動中心部材である揺動筒部材の揺動中心軸の構造を示す一部破断のドア本体及びその周囲の縦断面図である。
【図８】図７のVIII−VIII線断面図である。
【図９】図７で示されたドア本体の位置調整装置を上アームから分離させた状態を示す縦断面図である。
【符号の説明】
１  開口部である出入口
２  バランスドアの外枠組み
７  揺動中心部材である揺動筒部材
８，９  揺動部材である上下のアーム部材
１０  ドア本体
１２  ガイド部材であるガイドレール
１５  被ガイド部材であるローラ
２１  ２個のドア本体位置調整手段が配置された取付部材
２２  回転操作部材である連結ピン
３０  スライダ部材
３５  回転操作部材である調整ねじ
Ａ  ドア本体の高さ方向位置調整手段
Ｂ  ドア本体の幅方向位置調整手段
【図１】
0004459344.tif 000002
【図２】
0004459344.tif 000003
【図３】
0004459344.tif 000004
【図４】
0004459344.tif 000005
【図５】
0004459344.tif 000006
【図６】
0004459344.tif 000007
【図７】
0004459344.tif 000008
【図８】
0004459344.tif 000009
【図９】
0004459344.tif 000010